(57)【要約】【課題】振動等による衝撃を受けても、コア部の変形や破損が生じにくい構造を有する光導波路用のパッケージを提供する。【解決手段】光信号を発信または受信する発光部７または受信する受光部９を支持する支持部５ａと、支持部５ａを覆う蓋部５ｂとにより形成されるパッケージ５において、支持部５ａまたは蓋部５ｂは、発光部７または受光部９と光学的に結合して光信号を伝送する光導波路４における、光信号の入出射口を含む少なくとも一方の端部を支持する光導波路実装面２２を有し、支持部５ａまたは蓋部５ｂにおける光導波路実装面２２から、該光導波路実装面２２に対向する蓋部５ｂまたは支持部５ａまでの、該光導波路実装面２２に対して垂直方向となるＺ軸方向の長さＤが、光導波路４の、光導波路実装面２２に支持される領域におけるＺ軸方向の長さｄよりも長い。【選択図】図１
2009042400.tif 000002
【特許請求の範囲】
【請求項１】
光信号を発信または受信する光素子を支持する支持部と、前記支持部を覆う蓋部とにより形成されるフィルム光導波路パッケージにおいて、
前記支持部または前記蓋部は、前記光素子と光学的に結合して光信号を伝送するフィルム光導波路における、光信号の入出射口を含む少なくとも一方の端部を支持する支持面を有し、
前記支持部または前記蓋部における前記支持面から、該支持面に対向する前記蓋部または前記支持部までの、該支持面に対して垂直方向となる第１の方向の長さが、
前記フィルム光導波路の、前記支持面に支持される領域における前記第１の方向の長さよりも長いことを特徴とするフィルム光導波路パッケージ。
【請求項２】
前記フィルム光導波路と、前記支持面に対向する前記支持部または前記蓋部との間に形成される空間領域のうち少なくとも一部の領域に、前記フィルム光導波路よりも柔軟性が高い接着剤が充填されていることを特徴とする請求項１に記載のフィルム光導波路パッケージ。
【請求項３】
前記支持部と前記蓋部とは蓋接着剤により固定されるとともに、前記フィルム光導波路と当該フィルム光導波路パッケージとは、前記第１の方向において、前記蓋部と前記フィルム光導波路との間に設けられる第１の接着剤、および前記フィルム光導波路と前記支持部との間に設けられる第２の接着剤のうち、少なくともいずれか一方により固定され、
前記第１の接着剤および前記第２の接着剤のうち少なくともいずれか一方は、前記第１の方向の長さが前記蓋接着剤における前記第１の方向の長さよりも長く、かつ、前記フィルム光導波路よりも柔軟性が高いことを特徴とする請求項１に記載のフィルム光導波路パッケージ。
【請求項４】
前記第１の接着剤および前記第２の接着剤のうち少なくともいずれか一方における前記第１の方向の長さが、５μｍ以上であることを特徴とする請求項３に記載のフィルム光導波路パッケージ。
【請求項５】
前記支持部と前記蓋部とにより形成される、当該フィルム光導波路パッケージにおける少なくとも１つの側壁は、当該フィルム光導波路パッケージの内部に前記フィルム光導波路の端部を収容するための少なくとも１つの貫通孔を備え、
前記貫通孔における、前記フィルム光導波路が貫通する領域外のすべての領域が、前記第１の接着剤および前記第２の接着剤のうち少なくともいずれか一方により充填されていることを特徴とする請求項３または４に記載のフィルム光導波路パッケージ。
【請求項６】
前記第１の接着剤および前記第２の接着剤のうち少なくともいずれか一方のヤング率が、前記フィルム光導波路のヤング率よりも小さいことを特徴とする請求項３〜５のいずれか１項に記載のフィルム光導波路パッケージ。
【請求項７】
前記第１の接着剤および前記第２の接着剤のうち少なくともいずれか一方が、樹脂材料からなることを特徴とする請求項３〜６のいずれか１項に記載のフィルム光導波路パッケージ。
【請求項８】
光信号を発信または受信する光素子と、
透光性を有する材料から構成されるコア部、および前記コア部の屈折率とは異なる屈折率を有する材料から構成されるクラッド部を備え、前記光素子と光学的に結合して光信号を伝送するフィルム光導波路と、
前記光素子、および前記フィルム光導波路における光信号の入出射口を含む少なくとも一方の端部を収容する請求項１〜７のいずれか１項に記載のフィルム光導波路パッケージとを備えることを特徴とするフィルム光導波路モジュール。
【請求項９】
請求項８に記載のフィルム光導波路モジュールを備えた電子機器。
【発明の詳細な説明】
【技術分野】
【０００１】
本発明は、光通信ケーブルモジュールに関するものであって、特に光ケーブルにおけるパッケージに関するものである。
【背景技術】
【０００２】
近年、高速で大容量のデータ通信が可能な光通信網が拡大している。今後、この光通信網は機器間から機器内への搭載が予想されている。そして、プリント配線基板を光配線として実現するために、アレイ化が可能な光導波路が期待されている。
【０００３】
光導波路とは、屈折率の大きいコアと、該コアの周囲に接して設けられる屈折率の小さいクラッドとにより形成され、コアに入射した光信号を該コアとクラッドとの境界で全反射を繰り返しながら伝搬するものである。
【０００４】
そのような中、特に近年、曲がるディスプレイや、より小型、薄型の民生機器に搭載されるフレキシブルな（電気配線と同様に）光配線を光導波路で実現することが求められている。つまり、この光導波路は、フィルム状の光導波路であることが望ましい。
【０００５】
ここで、光導波路を用いて光データを伝送するためには、光電変換素子（受発光素子）と位置合わせをして光結合させる必要がある。受発光素子とは、電気信号を光信号に変換して発信し、光信号を受信して電気信号に変換するものである。そして、この光結合させた状態を保持するためには、光導波路を固定して受発光素子における光信号の受発信部と光導波路における光信号の入出射口との間の距離および両者の位置関係を一定に保つ必要がある。
【０００６】
前記光導波路を固定する方法として、例えば、特許文献１で示すような、光導波路をパッケージで固定する方法がある。
【０００７】
図２９は、特許文献１に記載されている光モジュール１００のパッケージ１０５の概略構成を示す斜視図である。図２９に示すように、光モジュール１００は、光導波路１０１、光素子１０２、実装基板１０３および支持体１０４からなるパッケージ１０５を備える構成である。パッケージ１０５は、具体的には、光導波路１０１に対する光素子１０２の方向を下方向とすると、光導波路１０１の上面を接着させた支持体１０４における当接面と、光素子１０２を搭載している実装基板１０３における当接面とを接着させることにより、実装基板１０３と支持体１０４とが一体化されて形成される。このとき、実装基板１０３の光導波路支持面１０６が、光導波路１０１と接着するため、光導波路１０１は、実装基板１０３によっても支持されることとなる。すなわち、光導波路１０１は、支持体１０４と実装基板１０３とで両側から挟みこむように支持されている。
【０００８】
このように、光導波路１０１を支持する支持体１０４の当接面と実装基板１０３の当接面とを接着する構成により、光導波路１０１と光素子１０２との位置関係、および光導波路１０１における光信号の入出射口と光素子１０２との間の距離を一定に保つことができる。
【特許文献１】特開２００６−３９２５５号公報（２００６年２月９日公開）
【発明の開示】
【発明が解決しようとする課題】
【０００９】
ところで、光モジュールは、日常的に利用される携帯電話機等の小型電子機器への搭載が期待されているところ、振動などの衝撃によって光伝送の性能が低下しないことが望まれる。
【００１０】
しかしながら、上記従来のパッケージ１０５では、光導波路１０１が、支持体１０４と実装基板１０３とにより上下方向から挟み込まれるように接着保持されている。このため、例えば、光モジュール１００が上下方向に振動した場合に、振動の衝撃により、光導波路１０１のコアにストレスがかかってしまい、コアが変形したり、潰れたりするおそれがある。その結果、コア内部における光伝送に不具合が生じ、光学特性を損ねてしまうという問題が生じる。
【００１１】
本発明は、上記問題点に鑑みてなされたものであって、その目的は、振動等による衝撃を受けても、コアの変形や破損が生じにくい構造を有する、光導波路用のパッケージを提供することにある。
【課題を解決するための手段】
【００１２】
本発明のフィルム光導波路パッケージは、上記課題を解決するために、光信号を発信または受信する光素子を支持する支持部と、前記支持部を覆う蓋部とにより形成されるフィルム光導波路パッケージにおいて、前記支持部または前記蓋部は、前記光素子と光学的に結合して光信号を伝送するフィルム光導波路における、光信号の入出射口を含む少なくとも一方の端部を支持する支持面を有し、前記支持部または前記蓋部における前記支持面から、該支持面に対向する前記蓋部または前記支持部までの、該支持面に対して垂直方向となる第１の方向の長さが、前記フィルム光導波路の、前記支持面に支持される領域における前記第１の方向の長さよりも長いことを特徴としている。
【００１３】
上記構成によれば、フィルム光導波路が支持される領域において、フィルム光導波路の上面と蓋部との間、若しくは、フィルム光導波路の下面と支持面との間に、間隙が形成される。これにより、フィルム光導波路パッケージが上下方向に加圧または振動した際の、フィルム光導波路に加わる圧力を低減することができる。したがって、振動、衝撃等によるコア部の変形や破損を防ぐことができるため、フィルム光導波路による安定した光伝送が可能となる。
【００１４】
また、本発明のフィルム光導波路パッケージでは、前記フィルム光導波路と、前記支持面に対向する前記支持部または前記蓋部との間に形成される空間領域のうち少なくとも一部の領域に、前記フィルム光導波路よりも柔軟性が高い接着剤が充填されていることが好ましい。
【００１５】
例えば、上記接着剤がフィルム光導波路よりも柔軟性の低い、すなわち、フィルム光導波路よりも硬い素材のものであれば、温度変化による膨張や外部からの振動衝撃で蓋部や支持部が変形した場合に、蓋部や支持部からの力を吸収することができず、フィルム光導波路が、上記接着剤と上記支持面とから力を受けるため、コア部の変形や破損が生じる。
【００１６】
しかしながら、上記構成によれば、本発明のフィルム光導波路パッケージでは、上記接着剤が上記フィルム光導波路よりも柔軟性が高いため、温度変化や振動衝撃等による蓋部や支持部の変形によりフィルム光導波路に加わる力を吸収することができる。
【００１７】
すなわち、上記接着剤がクッションの役割を果たす。したがって、フィルム光導波路パッケージが振動衝撃等を受けたことによる、コア部の変形や破損を防ぐことが可能となる。
【００１８】
また、本発明のフィルム光導波路パッケージでは、前記支持部と前記蓋部とは蓋接着剤により固定されるとともに、前記フィルム光導波路と当該フィルム光導波路パッケージとは、前記第１の方向において、前記蓋部と前記フィルム光導波路との間に設けられる第１の接着剤、および前記フィルム光導波路と前記支持部との間に設けられる第２の接着剤のうち、少なくともいずれか一方により固定され、前記第１の接着剤および前記第２の接着剤のうち少なくともいずれか一方は、前記第１の方向の長さが前記蓋接着剤における前記第１の方向の長さよりも長く、かつ、前記フィルム光導波路よりも柔軟性が高いことが好ましい。
【００１９】
例えば、上記第１の接着剤および上記第２の接着剤がフィルム光導波路よりも柔軟性の低い、すなわち、フィルム光導波路よりも硬い素材のものであれば、温度変化による膨張や外部からの振動衝撃で蓋部や支持部が変形した場合に、蓋部や支持部からの力を吸収することができず、フィルム光導波路が、上記第１の接着剤および上記第２の接着剤と支持部とから力を受けるため、コア部の変形や破損が生じる。
【００２０】
しかしながら、上記構成によれば、本発明のフィルム光導波路パッケージでは、上記第１の接着剤および第２の接着剤のうち少なくともいずれか一方が、フィルム光導波路よりも柔軟性が高いため、温度変化や振動衝撃等による蓋部や支持部の変形によりフィルム光導波路に加わる力を吸収することができる。すなわち、上記第１の接着剤および第２の接着剤のうち少なくともいずれか一方がクッションの役割を果たす。したがって、フィルム光導波路パッケージが振動衝撃等を受けたことによる、コア部の変形や破損を防ぐことが可能となる。
【００２１】
また、本発明のフィルム光導波路パッケージでは、第１の接着剤および第２の接着剤のうち少なくともいずれか一方は、第１の方向の長さが蓋接着剤における第１の方向の長さよりも長く、かつ、フィルム光導波路よりも柔軟性が高い。そのため、フィルム光導波路を固定する、クッションとして機能する接着層の厚みを十分確保することができる。これにより、フィルム光導波路パッケージが、外部から大きな外力を受けたとしても、第１の接着剤および第２の接着剤のうち少なくともいずれか一方によって外力を吸収することができるため、外部からの振動衝撃等によるコア部の変形や破損を防ぐことが可能となる。その結果、フィルム光導波路による安定した光伝送が可能となる。
【００２２】
また、本発明のフィルム光導波路パッケージは、前記第１の接着剤および前記第２の接着剤のうち少なくともいずれか一方における前記第１の方向の長さが、５μｍ以上であることが好ましい。
【００２３】
上記構成によれば、前記第１の接着剤および前記第２の接着剤のうち少なくともいずれか一方における第１の方向の厚みが大きくなるため、振動衝撃や温度変化によって生じる蓋部や支持部の変形がフィルム光導波路に与える影響をより小さくすることができる。これにより、振動衝撃や温度変化が大きい場合にも、コア部の変形や破損を防ぐことが可能となる。
【００２４】
また、本発明のフィルム光導波路パッケージでは、前記支持部と前記蓋部とにより形成される、当該フィルム光導波路パッケージにおける少なくとも１つの側壁は、当該フィルム光導波路パッケージの内部に前記フィルム光導波路の端部を収容するための少なくとも１つの貫通孔を備え、前記貫通孔における、前記フィルム光導波路が貫通する領域外のすべての領域が、前記第１の接着剤および前記第２の接着剤のうち少なくともいずれか一方により充填されていることが好ましい。
【００２５】
上記構成によれば、貫通孔におけるフィルム光導波路が貫通する領域外のすべての領域を、フィルム光導波路よりも柔らかい前記第１の接着剤および前記第２の接着剤のうち少なくともいずれか一方で充填しているため、前記開口部における第１の方向からの振動衝撃が、フィルム光導波路に与える影響をも低減することができる。これにより、パッケージ側面からの振動衝撃等によるコア部の変形や破損をも防ぐことができるため、フィルム光導波路によるより安定した光伝送が可能となる。また、貫通孔における空間領域は、上記接着剤で密閉されるため、パッケージ外からパッケージの内に、埃、粉塵、水分等が混入することを防ぐことができる。
【００２６】
また、本発明のフィルム光導波路パッケージでは、前記第１の接着剤および前記第２の接着剤のうち少なくともいずれか一方のヤング率が、前記フィルム光導波路のヤング率よりも小さいことが好ましい。
【００２７】
上記構成によれば、前記前記第１の接着剤および前記第２の接着剤のうち少なくともいずれか一方のヤング率がフィルム光導波路のヤング率よりも小さいため、温度変化や振動衝撃等による蓋部や支持部の変形によって与えられる力を吸収することができる。
【００２８】
これにより、振動等の衝撃によるコア部の変形や破損を防ぐことができるため、フィルム光導波路における安定した光伝送が可能となる。
【００２９】
また、本発明のフィルム光導波路パッケージでは、前記第１の接着剤および前記第２の接着剤のうち少なくともいずれか一方が、樹脂材料からなることが好ましい。
【００３０】
上記構成によれば、樹脂材料には柔軟な特性があるため、振動衝撃や温度変化による膨張でパッケージの蓋部や支持部が変形しても、前記第１の接着剤および前記第２の接着剤のうち少なくともいずれか一方はそれに応じて柔軟に変形することができる。よって、蓋部や支持部の変形によって受ける力を吸収することができ、これにより、振動等の衝撃によるコア部の変形や破損を防ぐことができる。その結果、フィルム光導波路による安定した光伝送が可能となる。
【００３１】
また、本発明のフィルム光導波路モジュールは、光信号を発信または受信する光素子と、透光性を有する材料から構成されるコア部、および前記コア部の屈折率とは異なる屈折率を有する材料から構成されるクラッド部を備え、前記光素子と光学的に結合して光信号を伝送するフィルム光導波路と、前記光素子、および前記フィルム光導波路における光信号の入出射口を含む少なくとも一方の端部を収容する上記記載のフィルム光導波路パッケージとを備えることを特徴としている。
【００３２】
上記構成によれば、フィルム光導波路モジュールは、振動等による衝撃を受けても、コアの変形や、破損が生じにくい構造のパッケージを備えるため、振動等の衝撃を受けても安定した光伝送が可能なフィルム光導波路モジュールを実現することができる。
【００３３】
また、上記フィルム光導波路モジュールは、電子機器に適用することが可能である。
【発明の効果】
【００３４】
本発明のフィルム光導波路パッケージは、以上のように、前記支持部または前記蓋部における前記支持面から、該支持面に対向する前記蓋部または前記支持部までの、該支持面に対して垂直方向となる第１の方向の長さが、前記フィルム光導波路の、前記支持面に支持される領域における前記第１の方向の長さよりも長い構成である。
【００３５】
それゆえ、振動等による衝撃を受けても、コアの変形や、破損が生じにくい構造を有する光導波路用のパッケージを提供できるという効果を奏する。
【発明を実施するための最良の形態】
【００３６】
本発明の一実施形態について図１ないし図２５に基づいて説明すれば、以下の通りである。
【００３７】
（光導波路モジュールの構成）
図３は、本実施形態に係る光導波路モジュール１の概略構成を示している。同図に示すように、光導波路モジュール１は、光送信処理部２と光受信処理部３と光導波路（フィルム光導波路）４とパッケージ（フィルム光導波路パッケージ）５とを備えている。
【００３８】
光送信処理部２は、発光駆動部６と発光部（光素子）７とからなり、半田付け等による方法でリードフレーム基板１３に実装されている。
【００３９】
発光駆動部６は、外部から入力された電気信号に基づいて発光部７の発光を駆動する。この発光駆動部６は、例えば発光駆動用のＩＣ（Integrated Circuit）によって構成される。なお、図示はしていないが、発光駆動部６には、外部からの電気信号を伝送する電気配線との電気接続部が設けられている。なお、図３では、発光駆動部６が、パッケージ５の内部に備えられている構成であるが、本発明はこれに限らず、パッケージ５の外部に備えられている構成であってもよい。
【００４０】
発光部７は、発光駆動部６による駆動制御に基づいて発光する。この発光部７は、例えばＶＣＳＥＬ（Vertical Cavity-Surface Emitting Laser）などの発光素子によって構成される。発光部７から発せられた光は、光信号として光導波路４の光入射側端部に照射される。
【００４１】
光受信処理部３は、増幅部８と受光部（光素子）９とからなり、リードフレーム基板１３に半田付け等による方法で実装されている。受光部９は、光導波路４の光出射側端部から出射された光信号としての光を受光し、光電変換によって電気信号を出力する。この受光部９は、例えばＰＤ（Photo-Diode）などの受光素子によって構成される。
【００４２】
増幅部８は、受光部９から出力された電気信号を増幅して外部に出力する。この増幅部８は、例えば増幅用のＩＣによって構成される。なお、図示はしていないが、増幅部８には、外部へ電気信号を伝送する電気配線との電気接続部が設けられている。
【００４３】
光導波路４は、発光部７から出射された光を受光部９まで伝送する媒体であり、パッケージ５は、光送信処理部２または光受信処理部３と、光導波路４における、光信号の入出射口を含む少なくとも一方の端部とを実装するためのものである。光導波路４およびパッケージ５の詳細な構成については、後述する。
【００４４】
また、パッケージ５に実装される電気配線１２（図１参照）は、リードフレーム基板１３を介して、発光駆動部６と発光部７とを接続して駆動信号としての電気信号を伝送するためのものである。また、光受信処理部３においても、増幅部８と受光部９とが、リードフレーム基板１３を介して、電気配線１２によって接続されている。本実施形態では、発光駆動部６および発光部７、増幅部８および受光部９を、リードフレーム基板１３を介して電気接続しているが、例えば、フレキシブルプリント基板（ＦＰＣ）、同軸ケーブル等を用いてもよい。
【００４５】
（光導波路の構成）
次に、光導波路４の構成について詳細に説明すると、以下の通りである。
【００４６】
図４（ａ）は光導波路４の概略構成を示した側面図であり、図４（ｂ）は光導波路４における光伝送の状態を模式的に示した図である。
【００４７】
光導波路４は、可撓性を有する柱状形状の部材によって構成される。具体的には、図４（ａ）で示すように、光伝送方向を軸とする柱状形状のコア部１０と、コア部１０の周囲を囲むように設けられたクラッド部１１とを備えた構成となっている。コア部１０およびクラッド部１１は透光性を有する材料によって構成されているとともに、コア部１０の屈折率は、クラッド部１１の屈折率よりも高くなっている。これにより、コア部１０に入射した光信号は、コア部１０内部で全反射を繰り返すことによって光伝送方向に伝送される。
【００４８】
コア部１０およびクラッド部１１を構成する材料としては、ガラスやプラスチックなどを用いることが可能であるが、十分な可撓性を有する光導波路４を構成するためには、アクリル系、エポキシ系、ウレタン系、およびシリコン系等の樹脂材料を使用することが好ましい。また、クラッド部１１を空気などの気体で構成してもよい。さらに、クラッド部１１をコア部１０よりも屈折率の小さい液体の雰囲気下において使用しても同様の効果が得られる。光伝送方向に垂直な面でのコア部１０の断面形状は長方形となっている。
【００４９】
図４（ｂ）に示すように、光導波路４の光入射側端部には光入射面４Ａが設けられているとともに、光出射側端部には光出射面４Ｂが設けられている。なお、光入射面４Ａおよび光出射面４Ｂは、コア部１０内で光が伝送される際の光伝送方向に対して斜めに設けられている。
【００５０】
発光部７から出射された光は、光導波路４の光伝送方向（第２の方向）に対して垂直となる方向から、光導波路４の光入射側端部に入射される。入射された光は、光入射面４Ａにおいて反射されることによって光導波路４内を進行する。光導波路４内を進行して光出射側端部に到達した光は、光出射面４Ｂにおいて反射されることによって、光導波路４の光伝送方向に対して垂直となる方向へ出射される。出射された光は、受光部９に照射され、受光部９において光電変換が行われる。
【００５１】
（パッケージの構成）
次にパッケージ５の構成について説明する。
【００５２】
図１（ｂ）は、光導波路４をパッケージ５に実装した状態の光導波路モジュール１の概略構成を示す横断面図である。図１（ａ）は、光導波路４をパッケージ５に実装した状態の光導波路モジュール１を受光部９（図３）側から見た場合の、光導波路モジュール１の概略構成を示す縦断面図、すなわち、図１（ｂ）のＡ−Ａ線矢視図である。図１（ｃ）は、光導波路４をパッケージ５に実装した状態の光導波路モジュール１の概略構成を示す上面図、すなわち、図１（ｂ）のＢ−Ｂ線矢視図である。
【００５３】
また、図５は、本実施形態の光導波路モジュール１におけるパッケージ５の概略構成を示す斜視図である。
【００５４】
ここで、パッケージ５に実装された光導波路４の延在方向をＹ軸方向、発光部７の発光面に対する法線方向をＺ軸方向（第１の方向）、Ｚ−Ｙ平面に垂直な方向すなわち光導波路４の端面における横幅（長手）方向をＸ軸方向とする。また、発光部７に対して光導波路４の方向を上方向とし、その逆方向、すなわち光導波路４に対して発光部７の方向を下方向とする。なお、光受信処理部３を搭載するパッケージは、光送信処理部２を搭載するパッケージと同一の構成であるため、説明の便宜上、光受信処理部３におけるパッケージについての説明は省略する。
【００５５】
図１（ａ）および図１（ｂ）で示すように、パッケージ５は、支持部５ａと蓋部５ｂとからなり、蓋部５ｂの下面が支持部５ａの上面に接着剤（蓋接着剤）３１で接着され両者が一体化されることにより形成される。
【００５６】
支持部５ａは、その内部に光送信処理部２を備え、また、支持部５ａの上面に実装される光導波路４を支持するものである。支持部５ａは、図５で示すように、その外形がＹ軸方向に延びた直方体の形状をしており、その内部には、底板から立ち上がる側壁によって四方を矩形状に囲まれた凹部１４が形成されている。そして、図１（ｃ）で示すように、凹部１４の底板には、発光駆動部６および発光部７を備えるリードフレーム基板１３が実装されている。
【００５７】
支持部５ａは、凹部１４を形成する側壁のうち、Ｙ軸方向において発光部７側に形成される側壁１５の上面に、光導波路４を実装するための光導波路実装面（支持面）２２を有する。
【００５８】
また、凹部１４を形成する４つの側壁の上面における蓋部５ｂと接着する部分、具体的には、側壁１５の上面におけるＸ軸方向の両端部と、Ｙ軸方向に延びる互いに対向する側壁の上面と、Ｙ軸方向における発光駆動部６側に形成される側壁の上面とが、蓋実装面（図５の斜線で示す領域）となっている。
【００５９】
蓋部５ｂは、支持部５ａの凹部１４に実装された発光部７と、光導波路４との間に粉塵や埃が入り込まないようにするために、支持部５ａおよび光導波路４の端部をカバーするためのものである。
【００６０】
図５に示すように、蓋部５ｂは、支持部５ａと一体化して、主に直方体形状のパッケージ５を形成するため、蓋部５ｂの外枠のＸ−Ｙ平面における各辺のサイズと、支持部５ａの外枠のＸ−Ｙ平面における各辺のサイズとは同一となっている。すなわち、蓋部５ｂの外形は、支持部５ａと同様に、Ｙ軸方向に延びた直方体の形状をしている。蓋部５ｂの具体的な形状を説明すると以下の通りである。
【００６１】
蓋部５ｂは、光導波路４が支持部５ａの上面に実装されることにより、該上面に対して自身の厚みの分だけ上方に突出する光導波路４を覆うための空間を形成すべく、内部が刳り貫かれた形状をしている。
【００６２】
具体的には、蓋部５ｂの下面には、図５で示すように、蓋部５ｂの上板から下方に延びた４つの側壁によって凹部１７が形成されている。また、前記４つの側壁のうち、蓋部５ｂを支持部５ａに実装した際に側壁１５と対向する側壁１８には、光導波路４を凹部１７内に収容できるように開口部２０が形成されている。
【００６３】
次に、蓋部５ｂおよび光導波路４を、支持部５ａに実装した構成について、図１および図２を用いて以下に説明する。
【００６４】
図１に示す光導波路モジュール１は、支持部５ａにおける光導波路４を支持する光導波路実装面（支持面）２２から、該光導波路実装面２２に対向する蓋部５ｂまでの、該光導波路実装面２２に対して垂直方向となるＺ軸方向（第１の方向）の長さＤが、光導波路４の支持部５ａに支持される領域におけるＺ軸方向の長さｄよりも長い構成である。
【００６５】
なお、光導波路４を支持部５ａに固定する方法は、特に限定されるものではなく、例えば、光導波路４の側面（Ｘ軸方向）を挟み込む方法や、パッケージ５内部において光導波路４を固定する方法などが挙げられる。すなわち、図１の構成では、光導波路４は、そのの下面が光導波路実装面２２に接して支持されており、光導波路実装面２２から光導波路４の上面までの高さと、光導波路４の高さ（Ｚ軸方向）とが等しい構成である。
【００６６】
上記構成によれば、光導波路４が支持される領域において、光導波路４の上面と蓋部５ｂとの間（図１（ａ）の距離ｈ１）、若しくは、光導波路４の下面と光導波路実装面２２との間に、間隙２３が形成される。これにより、パッケージ５が上下方向に加圧または振動した際の、光導波路４に加わる圧力を低減することができる。したがって、振動、衝撃等によるコア部１０の変形や破損を防ぐことができるため、フィルム光導波路による安定した光伝送が可能となる。
【００６７】
なお、光導波路４が蓋部５に固定される構成の場合には、蓋部５における光導波路４に対向する面が光導波路実装面（支持面；図示せず）となる。
【００６８】
これに対して、図２に示す光導波路モジュール１は、図１に示す光導波路モジュール１において、光導波路４を接着剤によりパッケージ５に固定した構成である。すなわち、図２は、図１に示す光導波路モジュール１において、光導波路４と支持部５ａ、および光導波路４と蓋部５ｂとを、それぞれ接着剤（第１の接着剤、第２の接着剤）により固定した状態を示している。
【００６９】
ここで、図２に示す光導波路モジュール１における、光導波路４の実装方法について以下に説明する。
【００７０】
まず、支持部５ａの側壁１５の上面における一部の領域である光導波路実装面２２に、側壁１５を横断するように、光導波路４が実装される。具体的には、発光部７と光導波路４との光結合状態が良好となるような位置、すなわち、図４（ａ）で示すように、発光部７における発光面に対する法線方向上に光入射面４Ａが位置するように、光導波路４をセッティングする。そして、セッティングした光導波路４の下面と、側壁１５の上面とが接触する領域（光導波路実装面２２）に接着剤（第２の接着剤）３０を塗布することにより、光導波路４は実装される。接着剤３０は、各種市販のものを使用することができる。
【００７１】
また、接着剤３０のヤング率は、光導波路４のヤング率よりも小さい、すなわち、接着剤３０が光導波路４よりも柔軟性の高い材料で形成されていることが好ましい。具体的には、光導波路４のコア部１０およびクラッド部１１よりも柔らかい樹脂材料からなることが好ましく、特に、ウレタン系、シリコン系、エンチオール系であることが好ましい。
【００７２】
次に、光導波路４が実装された支持部５ａの上面に、蓋部５ｂの側壁を実装することによって、支持部５ａと蓋部５ｂとを一体化させる。
【００７３】
具体的には、図２（ｂ）に示すように、支持部５ａと蓋部５ｂとを一体化させたときに互いに対向する側壁１５と側壁１８とが、パッケージ５を形成する側壁１６となるように、支持部５ａと蓋部５ｂとの外枠同士を一致させて、該一致させたときに対応する、蓋部５ｂの各側壁の下面と、支持部５ａの蓋実装面（図５の斜線領域）とを接着させる。このとき、蓋部５ｂは、蓋部５ｂの各側壁の下面に塗布された接着剤３１（図２（ａ））によって支持部５ａに実装および接着される。
【００７４】
また、蓋部５ｂは、光導波路４の光入射面４Ａを含む端部を内部の凹部１７に収容するように実装される。すなわち、パッケージ５の外側から見れば、光導波路４が、開口部２０を介して、側壁１６を横断し、パッケージ５の内部に挿入されているような状態となる。このように、支持部５ａと蓋部５ｂとが一体化されると、パッケージ５には、凹部１４と凹部１７とによって内部に空間が形成され、この形成された内部空間に、光導波路４の光入射面４Ａを含む端部（以下、端部）が収容されることとなる。
【００７５】
また、支持部５ａと蓋部５ｂとが一体化されると、パッケージ５の側壁１６には、前記内部空間とパッケージ５の外部空間とを連結する貫通孔２１（図２（ａ））が形成される。
【００７６】
貫通孔２１は、開口部２０と、蓋部５ｂの凹部１７の上面および側面の一部と、側壁１５の上面とによって形成される。また、貫通孔２１の孔口の形状は矩形であり、Ｙ軸方向における長さは、図２（ｂ）で示すように、側壁１５の上面のＹ軸方向における長さＬと等しくなっている。このことより、貫通孔２１を形成する凹部１７の上面および側面とは、Ｙ軸方向における側壁１８からのＬの距離の範囲に含まれる凹部１７の上面および側面のことを指す。
【００７７】
ここで、貫通孔２１を形成する凹部１７の上面および側面を、それぞれ貫通孔上面２４、貫通孔側面２６とし、側壁１５の上面における蓋部５ｂが実装されていない領域を貫通孔下面２５とする。
【００７８】
図２（ａ）に示すように、貫通孔２１では、貫通孔上面２４と、光導波路４の上面との間に間隙２３が生じるようになっている。具体的には、Ｚ軸方向（第１の方向）における、貫通孔側面２６の長さ、すなわち貫通孔下面２５から貫通孔上面２４までの長さＤは、貫通孔下面２５から光導波路４の上面までの長さｄよりも大きくなるように設定される。
【００７９】
この間隙２３のＺ軸方向における長さｈ１は、前記貫通孔下面２５から貫通孔上面２４までの長さＤ（以下、単に長さＤ）と貫通孔下面２５から光導波路４の上面までの長さｄ（以下、単に長さｄ）との差（Ｄ−ｄ）に相当する。
【００８０】
なお、貫通孔下面２５からの前記長さＤおよび前記長さｄには、図２（ａ）に示すように接着剤３０のＺ軸方向における厚みｈ３も含まれる。
【００８１】
この間隙２３の一部の領域には、図２（ａ）および（ｂ）に示すように、接着剤（第１の接着剤）３２が充填され、この接着剤３２が光導波路４の上面と貫通孔上面２４とを接着している。接着剤３２のヤング率が光導波路４のヤング率よりも小さい、すなわち、接着剤３２が光導波路４よりも柔軟性の高い材料で形成されている。具体的には、光導波路４のコア部１０およびクラッド部１１よりも柔らかい樹脂材料からなることが好ましく、特に、ウレタン系、シリコン系、エンチオール系であることが好ましい。
【００８２】
また、間隙２３のＺ軸方向における長さと等しい接着剤３２のＺ軸方向の長さｈ１（厚み）は、接着剤３１のＺ軸方向の長さｈ２よりも大きい。
【００８３】
上記構成によれば、接着剤３２が、光導波路４よりも柔軟性が高いため、温度変化や振動衝撃等による蓋部５ｂや支持部５ａの変形によって光導波路４に与えられる力を吸収することができる。すなわち、接着剤３２が振動衝撃等からのクッションの役割を果たす。したがって、パッケージ５が振動衝撃等を受けても、コア部１０の変形や破損を防ぐことが可能となる。
【００８４】
また、接着剤３０と接着剤３１と接着剤３２とは同一の材質からなるものであってもよいし、異なる材質からなるものであってもよい。異なる材質の場合、接着剤３０および接着剤３２は、接着剤３１よりも柔軟性が高いことがより好ましい。
【００８５】
なお、本実施の形態では、パッケージ５の側壁に形成される貫通孔２１が１つの場合についてのみ説明したが、本発明はこれに限らず、蓋部５ｂの凹部１７が２つに区切られること等により、側壁１６に貫通孔２１が２つ以上形成され、それぞれの貫通孔２１の間隙２３に接着剤３２が充填されている構成であってもよい。また、貫通孔２１が複数形成される場合には、複数の貫通孔２１がパッケージ５の同一の側壁に形成されるようにしてもよいし、異なる側壁に形成されるようにしてもよい。上記構成によれば、本発明は、１つのパッケージで２つ以上の光導波路を支持する場合にでも適用可能となる。
【００８６】
また、本実施の形態のパッケージ５の外形は、直方体であるが、本発明はこれに限らず、パッケージ５の４隅が削られた形状等の多面体であってもよい。すなわち、本発明のパッケージは、４つ以上の側壁から構成されるものであってもよい。
【００８７】
また、本実施の形態では、接着剤３１によって蓋部５ｂと支持部５ａとを接着し、接着剤３０および接着剤３２によって光導波路４とパッケージ５とを接着する構成であるが、本発明はこれに限られず、接着剤の代わりに樹脂製の封止剤を用いる構成であってもよい。
【００８８】
また、光導波路４の上面と貫通孔上面２４との間（間隙２３）のＺ軸方向における長さｈ１、すなわち、接着剤３２のＺ軸方向の厚みｈ１が、５μｍ以上であることが好ましい。また、接着剤３０のＺ軸方向の厚みｈ３が、５μｍ以上であることが好ましい。
【００８９】
上記構成によれば、接着剤３２におけるＺ軸方向の厚みｈ１若しくは接着剤３０のＺ軸方向の厚みｈ３が大きくなるため、振動衝撃や温度変化によって生じる蓋部や支持部の変形がフィルム光導波路に与える影響をより小さくすることができる。これにより、振動衝撃や温度変化が大きい場合にも、コア部の変形や破損を防ぐことが可能となる。
【００９０】
また、本実施の形態に係る光導波路モジュール１のパッケージ５では、さらに、貫通孔２１の開口部２０における、前記第１の方向（Ｚ軸方向）に垂直な第３の方向（Ｘ軸方向）の長さが、側壁１６を貫通する光導波路４の前記第２の方向（Ｙ軸方向）に垂直な断面における、前記第３の方向の長さよりも長いことが好ましい。これにより、上下方向だけでなく左右方向においても間隙を形成することができ、また、接着剤３２を充填することができるため、左右方向からの振動衝撃を受けても、コア部１０の変形や破損を防ぐことが可能となる。
【００９１】
また、本実施の形態では、間隙２３のＺ軸方向における長さｈ１と等しい接着剤３２のＺ軸方向の長さは、接着剤３１のＺ軸方向の厚みｈ２よりも大きい構成であるが、本発明はこれに限られない。例えば、前記ｈ１が接着剤３１のＺ軸方向における厚みｈ２よりも小さく、かつ、接着剤３０のＺ軸方向における厚みｈ３が接着剤３１のＺ軸方向における厚みｈ２よりも大きい構成であってもよい。また、前記ｈ１およびｈ３の両方が前記ｈ２よりも大きい構成であってもよい。また、前記ｈ１とｈ３との厚みの和（ｈ１＋ｈ３）が、前記ｈ２よりも大きい構成、すなわち（ｈ１＋ｈ３）＞ｈ２の関係式を満たす構成であってもよい。
【００９２】
なお、上述の説明では、光導波路４は、接着剤３２および接着剤３０により、支持部５ａおよび蓋部５ｂの両方に固定される構成として説明したが、本発明はこれに限定されるものではなく、支持部５ａおよび蓋部５ｂのうちいずれか一方に固定されていればよい。すなわち、光導波路４とパッケージ５とは、蓋部５ｂと光導波路４との間の領域のうち少なくとも一部の領域に充填される接着剤３２、および、光導波路４と支持部５ａとの間の領域のうち少なくとも一部の領域に充填される接着剤３０、のうち少なくともいずれか一方により固定される構成であればよい。
【００９３】
また、本発明の光導波路４は、接着剤３０および接着剤３２の少なくともいずれか一方より柔らかい素材から構成されていればよい。
【００９４】
ここで、本実施の形態のパッケージ５の変形例について、図６〜図２５を用いて以下に説明する。
【００９５】
（変形例１）
図６（ａ）は、光導波路を変形例１としてのパッケージに実装した状態の光導波路モジュール１を受光部９側から見た場合の、光導波路モジュール１の概略構成を示す縦断面図（（ｂ）のＡ−Ａ線矢視図）であり、（ｂ）は、該光導波路モジュール１の概略構成を示す横断面図（（ａ）のＣ−Ｃ線矢視図）であり、（ｃ）は、該光導波路モジュール１の概略構成を示す上面図（（ｂ）のＢ−Ｂ線矢視図）である。
【００９６】
図２は、貫通孔上面２４と光導波路４の上面との間の間隙２３における一部の空間領域のみを接着剤３２で充填する構成であるが、本発明はこれに限られない。例えば、図６（ａ）に示すように、間隙２３のすべての空間領域を接着剤３２で充填する構成であってもよい。
【００９７】
上記構成によれば、振動衝撃等からのクッションの役割を果たす接着剤３２の充填している領域が大きいため、より強い振動衝撃等からのコア部１０の変形や破損を防ぐことが可能となる。
【００９８】
（変形例２）
図７（ａ）は、光導波路を変形例２としてのパッケージに実装した状態の光導波路モジュール１を受光部９側から見た場合の、光導波路モジュール１の概略構成を示す縦断面図（（ｂ）のＡ−Ａ線矢視図）であり、（ｂ）は、該光導波路モジュール１の概略構成を示す横断面図（（ａ）のＣ−Ｃ線矢視図）であり、（ｃ）は、該光導波路モジュール１の概略構成を示す上面図（（ｂ）のＢ−Ｂ線矢視図）である。
【００９９】
図２や図６では、貫通孔上面２４と光導波路４の上面との間の間隙２３の一部またはすべての領域を接着剤３２で充填する構成であるが、本発明はこれに限られない。例えば、図７（ａ）および（ｂ）に示すように、貫通孔２１の空間領域における、光導波路４の領域外のすべての空間領域を接着剤３２で充填する構成であってもよい。また、貫通孔２１の空間領域における、光導波路４の領域外のすべての空間領域を接着剤３０で充填する構成であってもよい。
【０１００】
上記構成によれば、貫通孔２１における上下方向と直交する左右方向、すなわちＸ軸方向からの振動衝撃が、光導波路４に与える影響を低減することができる。これにより、パッケージ５の側面からの振動衝撃等によるコア部の変形や破損をも防ぐことができるため、より安定した光伝送が可能となる。
【０１０１】
また、貫通孔２１における空間領域が、接着剤３２で密閉されるため、パッケージ５外からパッケージ５内に、埃、粉塵、水分等が混入することを防ぐことができる。
【０１０２】
（変形例３）
図８（ａ）は、光導波路を変形例３としてのパッケージに実装した状態の光導波路モジュール１を受光部９側から見た場合の、光導波路モジュール１の概略構成を示す縦断面図（（ｂ）のＡ−Ａ線矢視図）であり、（ｂ）は、該光導波路モジュール１の概略構成を示す横断面図（（ａ）のＣ−Ｃ線矢視図）であり、（ｃ）は、該光導波路モジュール１の概略構成を示す上面図（（ｂ）のＢ−Ｂ線矢視図）である。
【０１０３】
本実施の形態の貫通孔２１においては、Ｚ軸方向における、貫通孔側面２６の長さである、凹部１７の側面の長さＤが、前記貫通孔下面２５から光導波路４の上面までの長さｄよりも大きい、すなわち、前記長さＤ＞前記長さｄの条件を満たしている。
【０１０４】
しかしながら、本発明のパッケージ５における、Ｙ軸方向における側壁１８からのＬの距離の範囲に含まれない凹部１７の側面の長さは、貫通孔２１を形成しないため、前記長さＤ＞前記長さｄの条件を満たす必要はなく、前記長さＤが前記長さｄ以下であっても構わない。
【０１０５】
例えば、図８（ｂ）および（ｃ）で示すように、蓋部５ｂにおける凹部１７の側面のＺ軸方向における長さが２段階で形成されている場合においては、貫通孔２１を形成する凹部１７の側面の長さＤが前記長さｄよりも大きければよく、貫通孔２１を形成しない凹部１７の側面の長さＤ′は前記長さｄ以下でもよい。
【０１０６】
（変形例４）
図９（ａ）は、光導波路を変形例４としてのパッケージに実装した状態の光導波路モジュール１を受光部９側から見た場合の、光導波路モジュール１の概略構成を示す縦断面図（（ｂ）のＡ−Ａ線矢視図）であり、（ｂ）は、該光導波路モジュール１の概略構成を示す横断面図（（ａ）のＣ−Ｃ線矢視図）であり、（ｃ）は、該光導波路モジュール１の概略構成を示す上面図（（ｂ）のＢ−Ｂ線矢視図）である。
【０１０７】
本発明のパッケージ５は、図９（ａ）〜（ｃ）に示すような形状で構成されていてもよい。
【０１０８】
具体的には、変形例３のように、蓋部５ｂにおける凹部１７の側面のＺ軸方向における長さが２段階で形成されているが、凹部１７の側面のＺ軸方向における長さの段差のある位置（以下、段差位置）が、図８で示す変形例３のパッケージ５よりも貫通孔２１側に存在する構成である。
【０１０９】
本発明のパッケージ５は、貫通孔２１において、凹部１７の上面と光導波路４とが接触していなければよいため、前記段差位置において、凹部１７の上面と光導波路４の上面とが接触していても構わない。
【０１１０】
また、本発明のパッケージ５は、変形例３および本変形例４のように、蓋部５ｂの凹部１７の側面のＺ軸方向における長さの２段階の段差部分が階段状で形成されている場合に限らず、図１０（ａ）〜（ｃ）に示すように、テーパー状に形成されていてもよい。ここで、図１０（ａ）は、光導波路を変形例３および変形例４をさらに変形した光導波路モジュール１を受光部９側から見た場合の、光導波路モジュール１の概略構成を示す縦断面図（（ｂ）のＡ−Ａ線矢視図）であり、（ｂ）は、該光導波路モジュール１の概略構成を示す横断面図（（ａ）のＣ−Ｃ線矢視図）であり、（ｃ）は、該光導波路モジュール１の概略構成を示す上面図（（ｂ）のＢ−Ｂ線矢視図）である。
【０１１１】
（変形例５）
また、本実施の形態のパッケージ５は、支持部５ａと蓋部５ｂとが一体化されることにより、初めて貫通孔２１が形成される構成であったが、本発明はこれに限らず、図１１（ａ）および（ｂ）に示すように、支持部５ａの１つの側壁１６に元から貫通孔２１が形成されている構成であってもよい。ここで、図１１（ａ）は、光導波路を変形例５としてのパッケージに実装した状態の光導波路モジュール１を受光部９側から見た場合の、光導波路モジュール１の概略構成を示す縦断面図（（ｂ）のＡ−Ａ線矢視図）であり、（ｂ）は、該光導波路モジュール１の概略構成を示す横断面図（（ａ）のＣ−Ｃ線矢視図）であり、（ｃ）は、該光導波路モジュール１の概略構成を示す上面図（（ｂ）のＢ−Ｂ線矢視図）である。
【０１１２】
（変形例６）
また、本実施の形態のパッケージ５は、支持部５ａと蓋部５ｂとが、接着剤３１で接着される構成であったが、本発明はこれに限られない。図１２（ａ）は、光導波路４を変形例６としてのパッケージ５に実装した状態の光導波路モジュール１を受光部側から見た場合の、光導波路モジュール１の概略構成を示す縦断面図（（ｂ）のＡ−Ａ線矢視図）であり、（ｂ）は、該光導波路モジュール１の概略構成を示す横断面図であり、（ｃ）は、該光導波路モジュール１の概略構成を示す上面図（（ｂ）のＢ−Ｂ線矢視図）である。図１３（ａ）〜（ｃ）は、図１２（ａ）〜（ｃ）に示す光導波路モジュール１の他の構成を示す図である。
【０１１３】
図１２（ａ）〜（ｃ）および図１３（ａ）〜（ｃ）に示すように、蓋部５ｂの少なくとも１組の対向する側壁の下面には、留め部が形成されており、一方、支持部５ａには該留め部と対応するように、留め受け部が形成されており、前記両者が嵌合することにより、支持部５ａと蓋部５ｂとが一体化される構成であってもよい。図１２は、前記留め受け部が、支持部５ａの側壁の中央付近に形成されている構成を示したものであり、図１３は、前記留め受け部が、支持部５ａの側壁の下面側に形成されている構成を示したものである。このとき、間隙２３が接着剤３２で充填されるように、光導波路４の上面に接着剤３２を塗布し、それから、蓋部５ｂを支持部５ａに嵌合させる。
【０１１４】
また、図１４（ａ）および（ｂ）で示すように、蓋部５ｂがスライド式に開閉する構成であってもよい。このとき、間隙２３が接着剤３２で充填されるように、予め光導波路４の上面に接着剤３２を塗布しておき、それから、蓋部５ｂでパッケージ５を密閉する。
【０１１５】
また、図１５（ａ）〜（ｃ）で示すように、支持部５ａの上面側（Ｚ軸方向）にリブが形成され、蓋５ｂがそれに噛み合うように、実装される構成であってもよい。また、このときも、間隙２３が接着剤３２で充填されるように、光導波路４の上面に接着剤３２を塗布し、それから、蓋部５ｂを支持部５ａに嵌合させる。
【０１１６】
また、図１６（ａ）〜（ｃ）で示すように、支持部５ａの側壁１５とＹ軸方向において対向する側壁の上面側に回転軸が設けられ、その設けられた回転軸によって、蓋部５ｂが開閉可能に支持部５ａと連結されている構成であってもよい。また、このときも、間隙２３が接着剤３２で充填されるように、予め光導波路４の上面に接着剤３２を塗布しておき、それから、蓋部５ｂでパッケージ５を密閉する。
【０１１７】
（変形例７）
また、本実施の形態におけるパッケージ５は、光導波路４が支持部５ａの上面に実装される構成であったが、本発明はこれに限られず、図１７（ａ）〜（ｃ）で示すように、蓋部５ｂの下面、すなわち貫通孔２１を形成する凹部１７の上面に、光導波路４が実装される構成であってもよい。この場合、貫通孔２１では、貫通孔下面２５と、光導波路４の下面との間に間隙２３が生じ、この間隙２３を接着剤３２で充填する。また、Ｚ軸方向における貫通孔側面２６の長さ、すなわち貫通孔下面２５から貫通孔上面２４までの長さＤは、貫通孔上面２４から光導波路４の下面までの長さｄよりも大きくなるように設定され、また、接着剤３２のＺ軸方向の厚みｈ１は、接着剤３１のＺ軸方向の厚みｈ２よりも大きくなっている。
【０１１８】
（変形例８）
また、本実施の形態のパッケージ５では、フレキシブルなフィルム状の光導波路４を用いた構成であるが、本発明は、これに限られず、図１８（ａ）〜（ｃ）で示すように、光導波路４の代わりに、断面が円形状の光ファイバを用いてもよい。
【０１１９】
（変形例９）
また、本実施の形態のパッケージ５は、蓋部５ｂの下面に、蓋部５ｂの上板から下方に延びた４つの側壁によって凹部１７が形成されている構成であるが、本発明はこれに限らず、図１９（ａ）および（ｂ）で示すように、蓋部５ｂは、凹部１７が形成されず、板形状であってもよい。また、この場合、貫通孔２１は、蓋部５ｂの下面と、側壁１５の上面と、支持部５ａにおける、側壁１５をＸ軸方向から挟むように立ち上がる２つの側壁とから構成される。このとき、光導波路４の上面に予め接着剤３２を塗布し、それから蓋部５ｂを支持部５ａに覆いかぶせる。また、接着剤３２のＺ軸方向の厚みｈ１は、接着剤３１のＺ軸方向の厚みｈ２よりも大きくなっている。
【０１２０】
（変形例１０）
本実施の形態では、パッケージ５における、光導波路４とリードフレーム基板面１３との間に、該リードフレーム基板面１３の法線方向に光を出射するように発光部７を設置した場合について説明したが、本発明はこれに限られない。例えば、図２０に示すように、リードフレーム基板面１３に平行に光を出射するように、発光部７を設置する構成であってもよい。
【０１２１】
上記構成によれば、光入射面４Ａおよび光出射面４Ｂが、コア部１０内で光が伝送される際の光伝送方向に対して垂直に設けられている光導波路４に対しても適応できる。
【０１２２】
また、リードフレーム基板面１３の法線方向のサイズよりも、リードフレーム基板面１３に平行な方向のサイズの方が小さい発光部７であっても、コンパクトに実装することができる。
【０１２３】
（変形例１１）
本実施の形態のパッケージ５は、光導波路４が支持部５ａの上面に実装される構成や、上記変形例６のような、光導波路４が蓋部５ｂの下面に実装される構成に限られない。例えば、図２１（ａ）および（ｂ）で示すように、光導波路４が、支持部５ａの凹部１４内に設けられた支持部材（支持部）３５によって支持され、支持部５ａおよび蓋部５ｂによっては支持されない構成であってもよい。このとき、貫通孔２１における、貫通孔上面２４と光導波路４の上面との間に形成された間隙と、光導波路４の下面と貫通孔下面２５との間に形成された間隙とにそれぞれ接着剤３２を充填する。このとき、貫通孔上面２４と光導波路４の上面とを接着する接着剤３２のＺ軸方向の長さと、光導波路４の下面と貫通孔下面２５とを接着する接着剤３２のＺ軸方向の長さとの和であるｈ１（Ｄ−ｄに相当）が、接着剤３１のＺ軸方向の長さｈ２よりも大きい。
【０１２４】
（変形例１２）
また、本実施の形態におけるパッケージ５は、凹部１４を有する支持部５ａと支持部５ａを覆う蓋部５ｂとから成る構成であるが、本発明はこれに限られず、図２２（ａ）に示すように、支持部５ａは、基板等の平らな平板形状の部材から成る構成であってもよい。具体的には、パッケージ５は、平らな平板形状の支持部５ａと、該支持部５ａに接着剤３０によって接着される光導波路４を覆うように、接着剤３１によって支持部５ａに接着される蓋部５ｂとから構成されていてもよい。
【０１２５】
また、変形例１２では、発光部７として、変形例１０で示すような側面発光型の光素子を用いているため、光導波路４の入射側の端部は、コア部に対して垂直に切断される構成である。しかしながら、図２３（ｂ）で示すように、光導波路４が、光導波路４の入射側の端部がコア部に対して４５°の角度で切断された構成であるときは、光導波路４と支持部５ａとの間に、発光部７と光導波路４の入射側の端部との距離を一定に保つために、該距離を調整する高さ補償部材３３を用いる構成であってもよい。この高さ補償部材３３を設置した様子を図２３（ａ）に示す。このとき、発光部７からの光出射方向が上方向とすると、接着剤３０は、高さ補償部材３３の上面と光導波路４の下面との間に充填されることとなる。
【０１２６】
（変形例１３）
本実施の形態では、側壁１８に形成された貫通孔２１における、光導波路４と蓋部５ｂとの間に充填される接着剤３２のＺ軸方向における長さｈ１、若しくは、光導波路４と支持部５ａとの間に充填される接着剤３０のＺ軸方向における長さｈ２が、蓋接着剤３１のＺ軸方向における長さｈ３よりも長く、また、該接着剤３０若しくは接着剤３２が光導波路４よりも柔らかい材料から成る構成である。
【０１２７】
しかしながら、本発明は、貫通孔２１における上記構成に限定されず、図２４で示すように、支持部５ａに突出部（支持部）３４が形成され、該突出部３４と蓋部５ｂとの間の空間を光導波路４が横切り、該光導波路４と蓋部５ｂとの間の空間が接着剤３２で充填され、該光導波路４と突出部３４との間の空間が接着剤３０で充填される構成であってもよい。
【０１２８】
また、本発明は、上記構成に限定されず、図２５で示すように、貫通孔２１を貫通している光導波路４と蓋部５ｂとの間に充填される接着剤３２、若しくは、光導波路４と支持部５ａとの間に充填される接着剤３０のＺ軸方向における長さが、貫通孔２１以外の部分において蓋部５ｂと支持部５ａとを接着する接着剤３１のＺ軸方向における長さよりも大きい構成であってもよい。すなわち、接着剤３２および接着剤３０の少なくともいずれか一方のＺ軸方向における長さ、または、接着剤３２のＺ軸方向の長さと接着剤３０のＺ軸方向の長さとを足し合わせた長さが、支持部５ａと蓋部５ｂとの間の距離が最小となる部分に充填される接着剤３１のＺ軸方向における長さよりも大きい構成である。
【０１２９】
（応用例）
本実施形態の光導波路４と光導波路４を実装するパッケージ５とからなる光導波路モジュール１は、例えば以下のような応用例に適用することが可能である。
【０１３０】
まず、第一の応用例として、折り畳み式携帯電話，折り畳み式ＰＨＳ（Personal Handyphone System），折り畳み式ＰＤＡ（Personal Digital Assistant），折り畳み式ノートパソコン等の折り畳み式の電子機器におけるヒンジ部に用いることができる。
【０１３１】
図２６（ａ）〜図２６（ｃ）は、光導波路モジュール１を折り畳み式携帯電話４０に適用した例を示している。すなわち、図２６（ａ）は光導波路モジュール１を内蔵した折り畳み式携帯電話４０の外観を示す斜視図である。
【０１３２】
図２６（ｂ）は、図２６（ａ）に示した折り畳み式携帯電話４０における、光導波路モジュール１が適用されている部分のブロック図である。この図に示すように、折り畳み式携帯電話４０における本体４０ａ側に設けられた制御部４１と、本体の一端にヒンジ部を軸として回転可能に備えられる蓋（駆動部）４０ｂ側に設けられた外部メモリ４２，カメラ部（デジタルカメラ）４３，表示部（液晶ディスプレイ表示）４４とが、それぞれ光導波路モジュール１によって接続されている。
【０１３３】
図２６（ｃ）は、図２６（ａ）におけるヒンジ部（破線で囲んだ部分）の透視平面図である。この図に示すように、光導波路モジュール１は、ヒンジ部における保持棒に巻きつけて屈曲させることによって、本体側に設けられた制御部と、蓋側に設けられた外部メモリ４２，カメラ部４３，表示部４４とをそれぞれ接続している。
【０１３４】
光導波路モジュール１を、これらの折り畳み式電子機器に適用することにより、限られた空間で高速、大容量の通信を実現できる。したがって、例えば、折り畳み式液晶表示装置などの、高速、大容量のデータ通信が必要であって、小型化が求められる機器に特に好適である。
【０１３５】
第２の応用例として、光導波路モジュール１は、印刷装置（電子機器）におけるプリンタヘッドやハードディスク記録再生装置における読み取り部など、駆動部を有する装置に適用できる。
【０１３６】
図２７（ａ）〜図２７（ｃ）は、光導波路モジュール１を印刷装置５０に適用した例を示している。図２７（ａ）は、印刷装置５０の外観を示す斜視図である。この図に示すように、印刷装置５０は、用紙５２の幅方向に移動しながら用紙５２に対して印刷を行うプリンタヘッド５１を備えており、このプリンタヘッド５１に光導波路モジュール１の一端が接続されている。
【０１３７】
図２７（ｂ）は、印刷装置５０における、光導波路モジュール１が適用されている部分のブロック図である。この図に示すように、光導波路モジュール１の一端部はプリンタヘッド５１に接続されており、他端部は印刷装置５０における本体側基板に接続されている。なお、この本体側基板には、印刷装置５０の各部の動作を制御する制御手段などが備えられる。
【０１３８】
図２７（ｃ）および図２７（ｄ）は、印刷装置５０においてプリンタヘッド５１が移動（駆動）した場合の、光導波路モジュール１の湾曲状態を示す斜視図である。この図に示すように、光導波路モジュール１をプリンタヘッド５１のような駆動部に適用する場合、プリンタヘッド５１の駆動によって光導波路モジュール１の湾曲状態が変化するとともに、光導波路モジュール１の各位置が繰り返し湾曲される。
【０１３９】
したがって、本実施形態にかかる光導波路モジュール１は、これらの駆動部に好適である。また、光導波路モジュール１をこれらの駆動部に適用することにより、駆動部を用いた高速、大容量通信を実現できる。
【０１４０】
図２８は、光導波路モジュール１をハードディスク記録再生装置６０に適用した例を示している。
【０１４１】
この図に示すように、ハードディスク記録再生装置６０は、ディスク（ハードディスク）６１、ヘッド（読み取り、書き込み用ヘッド）６２、基板導入部６３、駆動部（駆動モータ）６４、光導波路モジュール１を備えている。
【０１４２】
駆動部６４は、ヘッド６２をディスク６１の半径方向に沿って駆動させるものである。ヘッド６２は、ディスク６１上に記録された情報を読み取り、また、ディスク６１上に情報を書き込むものである。なお、ヘッド６２は、光導波路モジュール１を介して基板導入部６３に接続されており、ディスク６１から読み取った情報を光信号として基板導入部６３に伝搬させ、また、基板導入部６３から伝搬された、ディスク６１に書き込む情報の光信号を受け取る。
【０１４３】
このように、光導波路モジュール１をハードディスク記録再生装置６０におけるヘッド６２のような駆動部に適用することにより、高速、大容量通信を実現できる。
【０１４４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１４５】
本発明に係るフィルム光導波路パッケージおよびフィルム光導波路モジュールは、各種機器間の光通信路にも適用可能であるとともに、小型、薄型の民生機器内に搭載される機器内配線としてのフレキシブルな光配線にも適用可能である。
【図面の簡単な説明】
【０１４６】
【図１】本実施の形態における光導波路モジュールの概略構成を示す図であり、（ａ）は、光導波路をパッケージに実装した状態の光導波路モジュールを受光部側から見た場合の縦断面図（（ｂ）のＡ−Ａ線矢視図）であり、（ｂ）は、該光導波路モジュールの横断面図（（ａ）のＣ−Ｃ線矢視図）であり、（ｃ）は、該光導波路モジュールの上面図（（ｂ）のＢ−Ｂ線矢視図）である。
【図２】図１に示す光導波路モジュールにおいて接着剤を充填した場合の概略構成を示す図であり、（ａ）は、光導波路をパッケージに実装した状態の光導波路モジュールを受光部側から見た場合の縦断面図（（ｂ）のＡ−Ａ線矢視図）であり、（ｂ）は、該光導波路モジュールの横断面図（（ａ）のＣ−Ｃ線矢視図）であり、（ｃ）は、該光導波路モジュールの上面図（（ｂ）のＢ−Ｂ線矢視図）である。
【図３】本実施の形態における光導波路モジュールの概略構成を示すブロック図である。
【図４】（ａ）は、本実施の形態における光導波路の概略構成を示した側面図である。（ｂ）は、光導波路における光伝送の状態を模式的に示した図である。
【図５】本実施形態に係るパッケージを含む光導波路モジュールの概略構成を示す斜視図である。
【図６】（ａ）は、光導波路を変形例１としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図（（ａ）のＣ−Ｃ線矢視図）であり、（ｃ）は、該光導波路モジュールの概略構成を示す上面図（（ｂ）のＢ−Ｂ線矢視図）である。
【図７】（ａ）は、光導波路を変形例２としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図（（ａ）のＣ−Ｃ線矢視図）であり、（ｃ）は、該光導波路モジュールの概略構成を示す上面図（（ｂ）のＢ−Ｂ線矢視図）である。
【図８】（ａ）は、光導波路を変形例３としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図９】（ａ）は、光導波路を変形例４としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図１０】（ａ）は、光導波路を変形例３および変形例４の他の構成としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図１１】（ａ）は、光導波路を変形例５としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図である。
【図１２】（ａ）は、光導波路を変形例６としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図１３】（ａ）は、光導波路を変形例６の他の構成としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図１４】（ａ）は、光導波路を変形例６のさらに他の構成としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図である。
【図１５】（ａ）は、光導波路を変形例６のさらに他の構成としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図１６】（ａ）は、光導波路を変形例６のさらに他の構成としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図１７】（ａ）は、光導波路を変形例７としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図１８】（ａ）は、変形例８としての光導波路をパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図１９】（ａ）は、光導波路を変形例９としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図２０】（ａ）は、光導波路を変形例１０としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図であり、（ｃ）は、該光導波路モジュールの概略構成を示す上面図（（ｂ）のＢ−Ｂ線矢視図）である。
【図２１】（ａ）は、光導波路を変形例１１としてのパッケージに実装した状態の光導波路モジュールを受光部側から見た場合の、光導波路モジュールの概略構成を示す縦断面図（（ｂ）のＡ−Ａ線矢視図）であり、（ｂ）は、該光導波路モジュールの概略構成を示す横断面図である。
【図２２】（ａ）は、光導波路を変形例１２としてのパッケージに実装した状態の光導波路モジュールを示す斜視図であり、（ｂ）は、該光導波路モジュールの概略構成を示す横断面図（（ａ）のＣ−Ｃ線矢視図）である。
【図２３】（ａ）は、光導波路を変形例１２としてのパッケージに実装した状態の、他の光導波路モジュールの例を示す斜視図であり、（ｂ）は、該光導波路モジュールの概略構成を示す横断面図（（ａ）のＣ−Ｃ線矢視図）である。
【図２４】光導波路を変形例１３としてのパッケージに実装した状態の光導波路モジュールの概略構成を示す横断面図である。
【図２５】光導波路を変形例１３としてのパッケージに実装した状態の、他の光導波路モジュールの例を示す斜視図である。
【図２６】（ａ）は、光導波路モジュールを内蔵した折り畳み式携帯電話の外観を示す斜視図であり、（ｂ）は、（ａ）に示した折り畳み式携帯電話における、光導波路モジュールが適用されている部分のブロック図であり、（ｃ）は、（ａ）におけるヒンジ部（破線で囲んだ部分）の透視平面図である。
【図２７】（ａ）は、印刷装置の外観を示す斜視図であり、（ｂ）は、印刷装置における、光導波路モジュールが適用されている部分のブロック図であり、（ｃ）および（ｄ）は、印刷装置においてプリンタヘッドが移動（駆動）した場合の、光導波路モジュールの湾曲状態を示す斜視図である。
【図２８】光導波路モジュールをハードディスク記録再生装置に適用した例を示している。
【図２９】従来の光モジュールのパッケージの概略構成を示す斜視図である。
【符号の説明】
【０１４７】
１    光導波路モジュール（フィルム光導波路モジュール）
４    光導波路（フィルム光導波路）
４Ａ  光入射面
５    パッケージ（フィルム光導波路パッケージ）
５ａ  支持部
５ｂ  蓋部
６    発光駆動部
７    発光部（光素子）
８    受光駆動部
９    受光部（光素子）
１０  コア部
１１  クラッド部
１２  電気配線
１３  リードフレーム基板
１４  凹部
１５、１６、１８  側壁
２０  開口部
２１  貫通孔
２２  光導波路実装面（支持面）
２３  間隙（空間領域）
２４  貫通孔上面
２５  貫通孔下面
２６  貫通孔側面
３０  接着剤（第２の接着剤）
３１  接着剤（蓋接着剤）
３２  接着剤（第１の接着剤）
３３  高さ補償部材
３４  突出部（支持部）
【図１】
2009042400.tif 000003
【図２】
2009042400.tif 000004
【図３】
2009042400.tif 000005
【図４】
2009042400.tif 000006
【図５】
2009042400.tif 000007
【図６】
2009042400.tif 000008
【図７】
2009042400.tif 000009
【図８】
2009042400.tif 000010
【図９】
2009042400.tif 000011
【図１０】
2009042400.tif 000012
【図１１】
2009042400.tif 000013
【図１２】
2009042400.tif 000014
【図１３】
2009042400.tif 000015
【図１４】
2009042400.tif 000016
【図１５】
2009042400.tif 000017
【図１６】
2009042400.tif 000018
【図１７】
2009042400.tif 000019
【図１８】
2009042400.tif 000020
【図１９】
2009042400.tif 000021
【図２０】
2009042400.tif 000022
【図２１】
2009042400.tif 000023
【図２２】
2009042400.tif 000024
【図２３】
2009042400.tif 000025
【図２４】
2009042400.tif 000026
【図２５】
2009042400.tif 000027
【図２６】
2009042400.tif 000028
【図２７】
2009042400.tif 000029
【図２８】
2009042400.tif 000030
【図２９】
2009042400.tif 000031
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
光信号を発信または受信する光素子を内部に含み、前記光素子と光学的に結合して光信号を伝送するフィルム光導波路における、光信号の入出射口を含む少なくとも一方の端部を支持する支持部と、前記支持部を覆う蓋部とにより形成されるフィルム光導波路パッケージにおいて、
前記支持部と前記蓋部とは蓋接着剤により固定されるとともに、前記フィルム光導波路は前記支持部に固定され、
前記蓋部は、該蓋部を形成する側壁に、前記フィルム光導波路を当該フィルム光導波路パッケージ内部に導入するための開口部を有し、
前記支持部における前記フィルム光導波路を支持する支持面から、該支持面に対向する前記開口部における前記蓋部までの、該支持面に対して垂直方向となる第１の方向の長さが、前記フィルム光導波路の、前記支持面に支持される領域における前記第１の方向の長さよりも長く、かつ、
前記開口部における、前記第１の方向と前記フィルム光導波路の光伝送方向である第２の方向とに垂直な第３の方向の長さが、前記側壁を貫通する前記フィルム光導波路の光伝送方向に垂直な断面における、前記第３の方向の長さよりも長く、
前記開口部において、前記フィルム光導波路は、前記第３の方向では前記蓋部の前記側壁に囲まれることにより、前記支持面に支持される部分を除く部分が、間隙を介して前記蓋部に覆われていることを特徴とするフィルム光導波路パッケージ。
【請求項２】
前記第１の方向において、前記フィルム光導波路と前記蓋部との間に形成される空間領域のうち少なくとも一部の領域に、前記フィルム光導波路よりも柔軟性が高い接着剤が充填されていることを特徴とする請求項１に記載のフィルム光導波路パッケージ。
【請求項３】
前記間隙には、前記フィルム光導波路よりも柔軟性が高い接着剤が充填されていることを特徴とする請求項１に記載のフィルム光導波路パッケージ。
【請求項４】
前記蓋接着剤と、前記フィルム光導波路および前記支持部を固定する接着剤と、前記間隙に充填される接着剤とは、いずれも、前記フィルム光導波路よりも柔軟性が高く、かつ同一材料であることを特徴とする請求項１に記載のフィルム光導波路パッケージ。
【請求項５】
光信号を発信または受信する光素子と、
透光性を有する材料から構成されるコア部、および前記コア部の屈折率とは異なる屈折率を有する材料から構成されるクラッド部を備え、前記光素子と光学的に結合して光信号を伝送するフィルム光導波路と、
前記光素子、および前記フィルム光導波路における光信号の入出射口を含む少なくとも一方の端部を収容する請求項１〜４のいずれか１項に記載のフィルム光導波路パッケージとを備えることを特徴とするフィルム光導波路モジュール。
【請求項６】
請求項５に記載のフィルム光導波路モジュールを備えた電子機器。